(57)【要約】【課題】錠箱の側板に開口したダルマ開口から錠箱内に塵やホコリが侵入することを防止する。【解決手段】錠箱の側板３ａに透設されたダルマ開口５と嵌合し得る外径を有し、錠箱側板の外面とダルマ受２との距離にほぼ等しい長さの短筒体である本体９と、この本体９の外周面外側開口端縁部にその半径方向外側に向けて突設された複数の取付片１１、１１と、各取付片の先端に内側に向けて突設された傾斜面１２付の係止爪１３とを有する閉塞部材８をダルマ開口に嵌め込む。【選択図】  図７
2004332495.tif 000002
【特許請求の範囲】
【請求項１】
錠箱の側板に透設されたダルマ開口と嵌合し得る外径を有し、錠箱側板の外面とダルマ受との距離にほぼ等しい長さの短筒体である本体と、この本体の外周面外側開口端縁部の複数箇所において、夫々本体の半径方向外側に向けて突設された取付片と、各取付片の先端に内側に向けて突設された傾斜面付の係止爪とを有する閉塞部材を備え、一方、ダルマ開口の開口端縁部に閉塞部材の取付片と係合する受切欠を連設し、閉塞部材を内端部からダルマ開口に挿入したとき、取付片の弾性変形を利用して係止爪が受切欠の先端を潜って錠箱側板の内面に係止されるようにしたことを特徴とする錠箱の開口閉塞機構。
【発明の詳細な説明】
【０００１】
【発明が属する技術分野】
この発明は、錠箱の開口閉塞機構（以下単に閉塞機構という）に係り、特に、錠箱内の通常ダルマと称される施錠部材と、室外側のシリンダ錠、或いは室内側のサムターンとの連結部材が通る錠箱側板の開口を簡単に閉塞することができる閉塞機構に関する。
【０００２】
【従来の技術】
上記ダルマ１は、図１及び図２に示すように、その基部（回転支承部）がカップ状に成形され、そのカップ部に例えば図示しないデッドボルトと係合するこれも図示しない作動アームを一体に結合したもので、図２で面対称に成形された部材を、カップの開口が相互に対向するように組み合わされ、例えば溶接により一体に結合される。
【０００３】
上記のように構成されたダルマ１は、図２に示すように、一対のダルマ受３、３の間にカップ部を挟持された状態で、錠箱３内において回動可能に支承されている。
【０００４】
なお、ダルマ受２は、図示しない脚部を介して錠箱３の側板３ａに固定されており、また、図２においては錠箱３の室内側の側板は図示を省略している。
【０００５】
そして、上記ダルマ１は側板３ａに透設されたダルマ開口５から露出しており、そのクラッチ孔４には、室外側からはシリンダ錠６の内筒のテールピース７が、室内側からは図示しないサムターンの例えば断面十字形のカプラーが係合している。
【０００６】
なお、これらダルマとテールピース、或いはサムターンの係合の態様は従来周知であるから、更に詳細な説明は省略する。
【０００７】
【発明が解決しようとする課題】
上記のように構成された従来の錠箱は、例えばサッシの扉の場合扉の自由側端縁部に収納されて使用されるが、長期間の使用によりサッシの扉内に塵やホコリが侵入し、これらがダルマ開口５を通って錠箱３内にも蓄積される。
【０００８】
その結果、場合によってはデッドボルトやラッチボルトの動きが円滑でなくなり、例えば施錠するときにデッドボルトの動きが渋くなるとか、或いはラッチボルトの戻りが悪くなってラッチボルトが引込んだままになってしまう、等の不都合が生じる。
【０００９】
この発明は、錠箱内に塵やホコリが侵入することを防止する閉塞機構を提供し、もって上記した不都合を解消することを目的としている。
【００１０】
【課題を解決するための手段】
上記の目的を達成するため、この発明は、錠箱の側板に透設されたダルマ開口と嵌合し得る外径を有し、錠箱側板の外面とダルマ受との距離にほぼ等しい長さの短筒体である本体と、この本体の外周面外側開口端縁部の複数箇所において、夫々本体の半径方向外側に向けて突設された取付片と、各取付片の先端に内側に向けて突設された傾斜面付の係止爪とを有する閉塞部材を備え、一方、ダルマ開口の開口端縁部に閉塞部材の取付片と係合する受切欠を連設し、閉塞部材を内端部からダルマ開口に挿入したとき、取付片の弾性変形を利用して係止爪が受切欠の先端を潜って錠箱側板の内面に係止されるようにしたことを特徴とする。
【００１１】
【実施例】
以下、この発明の一実施例を図３乃至図７を参照して説明する。
図３乃至図５において符号８はダルマ開口を閉塞する閉塞部材を示し、この閉塞部材８は、短筒状の本体９を有している。
【００１２】
この本体９は、錠箱の側板３ａに透設されたダルマ開口５と嵌合し得る外径を有し（図６参照）、錠箱側板３ａの外面とダルマ受２との距離にほぼ等しい長さの（図７参照）短筒体である。
【００１３】
この本体９の外周面外側開口端縁部（図５で右側）の複数箇所（図示の実施例では本体の９の中心軸を挟む２ヵ所）には、夫々本体の半径方向外側に向けて略矩形の取付片１１、１１が夫々本体９の半径方向外側に向けて突設されている。
【００１４】
また、各取付片１１の先端には傾斜面１２（図５参照）付の係止爪１３が内側に向けて突設されている。
【００１５】
なお、図示の実施例では、取付片１１の曲げモーメントに対する剛性を小さくして弾性変形させ易いように、取付片１１と同じ角度位置における本体外側開口端縁部の肉が盗まれている。
【００１６】
一方、上記取付片１１に対応して、ダルマ開口５の開口端縁部に閉塞部材の取付片１１と係合する、これと同形の受切欠１４、１４が連設されている。
【００１７】
上記のように構成されたこの発明の一実施例による閉塞機構は、錠箱のダルマ開口５に閉塞部材８を嵌め込み、閉塞部材８を錠箱内方に押込む。
【００１８】
すると、係止爪の傾斜面１２と受切欠１４の開口端縁との間に生じる楔作用により、取付片１１が内側に曲るように弾性変形し、その結果係止爪１３が受切欠１４の外端開口縁部を潜り抜けてその内側に入り込む。
【００１９】
同時に、取付片１１がその弾力により外側に倒れる方向に復元し、図７に示すように、係止爪１３が錠箱の側板３の内面に入り込む態様で取付片１１、１１が不可逆的に錠箱側板に係止される。
【００２０】
このときには、図７から明らかなように、ダルマ開口５とダルマ受２との間の隙間は完全に本体９により閉塞されるから、ダルマ開口から錠箱内に侵入した塵やホコリは本体内筒部に貯溜されて錠雨箱内に侵入することはない。
【００２１】
ちなみに、ダルマのクラッチ孔４（図１及び図６参照）から内側に入り込んだ塵やホコリは、室内側の閉塞部材の本体内筒部に貯溜されるので、これも錠箱内に侵入することはない。
【００２２】
【発明の効果】
以上の説明から明らかなように、この発明は、錠箱の側板に透設されたダルマ開口と嵌合し得る外径を有し、錠箱側板の外面とダルマ受との距離にほぼ等しい長さの短筒体である本体と、この本体の外周面外側開口端縁部にその半径方向外側に向けて突設された複数の取付片と、各取付片の先端に内側に向けて突設された傾斜面付の係止爪とを有する閉塞部材をダルマ開口に嵌め込むので、ダルマ開口とダルマ受との間の隙間を本体によって完全に閉塞することができ、錠箱内への塵やホコリの侵入を長期間にわたって防止することができる、という所期の効果を奏する。
【図面の簡単な説明】
【図１】従来の錠箱の側面図。
【図２】従来の錠箱のダルマ開口付近の構造を示す拡大断面図。
【図３】閉塞部材の外面図。
【図４】閉塞部材の内面図。
【図５】閉塞部材の断面図。
【図６】この発明の一実施例による閉塞機構を備えた錠箱の側面図。
【図７】この発明の一実施例による閉塞機構を備えた錠箱のダルマ開口付近の構造を示す拡大断面図。
【符号の説明】
１  ダルマ
２  ダルマ受
３  錠箱
４  クラッチ孔
５  ダルマ開口
７  テールピース
８  閉塞部材
９  本体
１１  取付片
１２  傾斜面
１３  係止爪
１４  受切欠
【図１】
2004332495.tif 000003
【図２】
2004332495.tif 000004
【図３】
2004332495.tif 000005
【図４】
2004332495.tif 000006
【図５】
2004332495.tif 000007
【図６】
2004332495.tif 000008
【図７】
2004332495.tif 000009